(57)【要約】      （修正有）【課題】筐体の前面に消火用ホースの引き出し口を回動して開閉する消火栓扉を備えた消火栓装置において、消火栓扉のモーメントを小さくできるようにする。また、ダンパーを備えつつも、筐体を薄型化できるようにする。【解決手段】筐体２の前面に設けられる消火用ホースの引き出し口３にヒンジ５によって回動可能に取り付けられて、引き出し口３を回動して開閉する消火栓扉を備える消火栓装置１−１において、消火栓扉は、ヒンジ５に近い側の位置に部品６ａの取り付け位置を有することを特徴とする。また、ヒンジ５は、回転動作を制御するダンパーを有するダンパーヒンジであることを特徴とする。【選択図】図２
2019111000.tif 000002
【特許請求の範囲】
【請求項１】
筐体の前面に設けられる消火用ホースの引き出し口にヒンジによって回動可能に取り付けられて、前記引き出し口を回動して開閉する消火栓扉を備える消火栓装置において、
前記消火栓扉は、前記ヒンジに近い側の位置に部品の取り付け位置を有することを特徴とする消火栓装置。
【請求項２】
前記ヒンジは、回転動作を制御するダンパーを有するダンパーヒンジであることを特徴とする請求項１に記載の消火栓装置。
【請求項３】
前記消火栓扉は、前記ヒンジに近い側の端縁部に扉内方に突出する突縁部を有し、その突縁部に前記部品の取り付け位置を有することを特徴とする請求項１又は２に記載の消火栓装置。
【請求項４】
前記部品の取り付け位置に取り付けられる部品は、消火用ノズルを保持するノズルホルダであることを特徴とする請求項１乃至３のいずれか１項に記載の消火栓装置。
【請求項５】
筐体の前面に設けられる消火用ホースの引き出し口にヒンジによって回動可能に取り付けられて、前記引き出し口を回動して開閉する消火栓扉を備える消火栓装置において、
前記消火栓扉とは別体のものとして、前記消火栓扉取り付け用の前記ヒンジとは別のヒンジによって前記引き出し口に回動可能に取り付けられると共に、前記消火栓扉が回転するのに従動して回転するように設けられる従動回動部をさらに備え、
前記従動回動部は、部品の取り付け位置を有することを特徴とする消火栓装置。
【請求項６】
前記消火栓扉は、開扉方向に回転する際、それに従動させて前記従動回動部を回転させるように引き動かす引っ掛け部が設けられることを特徴とする請求項５に記載の消火栓装置。
【請求項７】
前記引っ掛け部は、前記消火栓扉が開扉方向に回転する際、それに遅れて前記従動部を回転させるように引き動かすことを特徴とする請求項６に記載の消火栓装置。
【請求項８】
前記消火栓扉取り付け用の前記ヒンジと前記従動回動部取り付け用の前記ヒンジはいずれも、回転動作を制御するダンパーを有するダンパーヒンジであることを特徴とする請求項５乃至７のいずれか１項に記載の消火栓装置。
【請求項９】
前記部品の取り付け位置に取り付けられる部品は、消火用ノズルを保持するノズルホルダであることを特徴とする請求項５乃至８のいずれか１項に記載の消火栓装置。
【発明の詳細な説明】
【技術分野】
【０００１】
この発明は、トンネルに設置される消火栓装置に関する。
【背景技術】
【０００２】
トンネルに設置される消火栓装置は、その筐体前面に消火用ホースの引き出し口を回動して開閉する消火栓扉を備えている（特許文献１参照）。
【先行技術文献】
【特許文献】
【０００３】
【特許文献１】特開２００５−３１８９７２号公報
【発明の概要】
【発明が解決しようとする課題】
【０００４】
消火栓扉は、操作者により操作されて回動して開閉するものであり、扉回転時のモーメントは、小さい方が好ましい。
【０００５】
また、消火栓扉と引き出し口との間には、通常、扉の回転動作を制御するダンパーが設けられており、従来、そのダンパーとしては、アーム状の支持部分により消火栓扉を支持するタイプのものが用いられている（特許文献１参照）。近年、筐体の薄型化が進んでいるが、従来用いられているタイプのダンパーは、閉扉時には、そのアーム状の支持部分を含めて全体が筐体内に収納されることになるため、筐体内には、ダンパー収納用のスペースが必要になる。つまり、従来用いられているタイプのダンパーは、筐体の薄型化に対する妨げになっている。
【０００６】
この発明は、上記の事情に鑑み、筐体の前面に消火用ホースの引き出し口を回動して開閉する消火栓扉を備えた消火栓装置において、消火栓扉のモーメントを小さくできるようにすることを目的とする。また、ダンパーを備えつつも、筐体を薄型化できるようにすることを目的とする。
【課題を解決するための手段】
【０００７】
この発明において、第１の発明（請求項１及びその従属項に係る発明）は、筐体の前面に設けられる消火用ホースの引き出し口にヒンジによって回動可能に取り付けられて、前記引き出し口を回動して開閉する消火栓扉を備える消火栓装置において、前記消火栓扉は、前記ヒンジに近い側の位置に部品の取り付け位置を有することを特徴とする消火栓装置である。
【０００８】
なお、第１の発明において、前記ヒンジは、回転動作を制御するダンパーを有するダンパーヒンジとすることができる。また、前記消火栓扉は、前記ヒンジに近い側の端縁部に扉内容に突出する突縁部を有し、その突縁部に前記部品の取り付け位置を有するものとすることができる。また、前記部品の取り付け位置に取り付けられる部品は、消火用ノズルを保持するノズルホルダとすることができる。
【０００９】
さらに、この発明において、第２の発明（請求項５及びその従属項に係る発明）は、筐体の前面に設けられる消火用ホースの引き出し口にヒンジによって回動可能に取り付けられて、前記引き出し口を回動して開閉する消火栓扉を備える消火栓装置において、前記消火栓扉とは別体のものとして、前記消火栓扉取り付け用の前記ヒンジとは別のヒンジによって前記引き出し口に回動可能に取り付けられると共に、前記消火栓扉が回転するのに従動して回転するように設けられる従動回動部をさらに備え、前記従動回動部は、部品の取り付け位置を有することを特徴とする消火栓装置である。
【００１０】
なお、第２の発明において、前記消火栓扉は、開扉方向に回転する際、それに従動させて前記従動回動部を回転させるように引き動かす引っ掛け部が設けられるものとすることができる。また、前記引っ掛け部は、前記消火栓扉が開扉方向に回転する際、それに遅れて前記従動部を回転させるように引き動かすものとすることができる。また、前記消火栓扉取り付け用の前記ヒンジと前記従動回動部取り付け用の前記ヒンジはいずれも、回転動作を制御するダンパーを有するダンパーヒンジとすることができる。また、前記部品の取り付け位置に取り付けられる部品は、消火用ノズルを保持するノズルホルダとすることができる。
【発明の効果】
【００１１】
この発明においては、第１の発明によれば、消火栓扉がヒンジに近い側の位置に部品の取り付け位置を有することにより、取り付けられる部品を含む消火栓扉の重心位置をヒンジに近くすることができる。それにより、消火栓扉が回転する際のモーメントを小さくすることができる。
【００１２】
また、第２の発明によれば、従動回動部が部品の取り付け位置を有することにより、取り付けられる部品の荷重を従動回動部側に分散することができ、消火栓扉の荷重を小さくすることができる。それにより、消火栓扉が回転する際のモーメントを小さくすることができる。
【００１３】
したがって、この発明は、第１と第２のいずれの発明によっても、消火栓扉のモーメントを小さくすることができる。
【００１４】
ここで、第１と第２のいずれの発明においても、消火栓扉のモーメントを小さくできることにより、消火栓扉の回転動作を制御するダンパーを十分に働かせることができる。例えば、消火栓扉が下方に回転して開くタイプのもの（前傾式扉）である場合には、消火栓扉を十分にゆっくりと開くようにすることができるし、消火栓扉を十分に軽い力で閉じるようにすることができる。
【００１５】
さらに、第１の発明においては、消火栓扉取り付け用のヒンジを、回転動作を制御するダンパーを有するダンパーヒンジとすることにより、第２の発明においては、消火栓扉取り付け用のヒンジと従動回動部取り付け用のヒンジの両方を、回転動作を制御するダンパーを有するダンパーヒンジとすることにより、いずれの発明においても、筐体内にダンパー収納用のスペースを設ける必要をなくすことができる。
【００１６】
したがって、この発明は、第１と第２のいずれの発明によっても、ダンパーを備えつつも、筐体を薄型化することができる。
【００１７】
さらに、第１の発明においては、消火栓扉を、ヒンジに近い側の端縁部に扉内方に突出する突縁部を有し、その突縁部に部品の取り付け位置を有するものとすることにより、例えば、消火栓扉が前傾式扉である場合、消火栓扉の開扉時、取り付けられる部品の荷重が閉扉方向に作用する状態から開扉方向に作用する状態に変化するタイミングを遅らせることができる。それによっても、消火栓扉が回転する際のモーメントを小さくすることができる。
【図面の簡単な説明】
【００１８】
【図１】この発明の第１の実施形態における消火栓装置の正面図であり、消火栓扉が全開している状態（略１８０度開いている状態）を示したものである。
【図２】同上の消火栓装置の拡大側面図である。
【図３】同上の消火栓装置の要部拡大上面図（筐体の上部を切り欠いている）であり、消火栓扉が半開している状態（略９０度開いている状態）を示したものである。
【図４】同上の消火栓装置における消火栓扉の開閉時の様子を側面視で示した説明図であり、（ａ）が全閉している状態、（ｂ）が半開している状態、（ｃ）が全開している状態をそれぞれ示したものである。
【図５】この発明の第２の実施形態における消火栓装置の正面図であり、図１に相当する図である。
【図６】図５の要部拡大図である。
【図７】同上の消火煙装置の消火栓扉と従動回動部の開扉時の様子を側面視で示した説明図であり、図４に相当する図である。
【発明を実施するための形態】
【００１９】
この発明の実施形態について、消火用ホースの引き出し口を回動して開閉する消火栓扉として、下方に回転して開くタイプの消火栓扉（前傾式扉）を有する消火栓装置に適用する場合を例に、第１の発明に対応する第１の実施形態と第２の発明に対応する第２の実施形態に分けて、図１乃至図７を参照しつつ説明する。なお、この発明は、上方に回転して開くタイプの消火栓扉（跳ね上げ式扉）を有する消火栓装置に適用することもできる。 
【００２０】
［第１の実施形態］
まず、第１の実施形態の消火栓装置１−１について、図１乃至図４を参照しつつ説明する。
【００２１】
［全体構成］
図１乃至図３に示したように、消火栓装置１は、消火用ホース６が収納されるホース収納部９等を内蔵する筐体２を有している。筐体２の前面には、前面パネル２ａが設けられており、その前面パネル２ａには、消火用ホース６を外部に引き出すための引き出し口３や、その引き出し口３を開閉する消火栓扉４等が設けられている。
【００２２】
なお、図示は省略するが、消火栓装置１は、トンネルに設置されるものである。具体的には、筐体２がトンネルの内壁に形成される箱抜き内に収納されたり、内壁に壁掛けされたり、車道脇の監査路上に置かれたり、監査路内に埋め込まれたりする等してトンネル内に設置されるものである。
【００２３】
［消火栓扉］
消火栓扉４は、ヒンジ５により引き出し口３に回動可能に取り付けられて、そのヒンジ５が有する回転軸５ａ回りに回動することにより引き出し口３を開閉する。本実施形態においては、消火栓扉４として、閉扉時下側の端縁部４ｄが筐体２の横方向（幅方向）に沿う回転軸５ａを有するヒンジ５により回動可能に引き出し口３の下端縁３ｂに取り付けられて、下方に回転して引き出し口３を開く前傾式扉を用いている。また、その全開時の回転角度を略１８０度とするものを用いている。なお、消火栓扉４は全開時、引き出し口３の下端縁３ｂから下方に略垂下して、裏面４ｃが正面方向に略正対する状態になるまで回転する。
【００２４】
消火栓扉４の裏面４ｃ側には、各種部品が取り付けられる。本実施形態の場合、消火用ホース６の先端に設けられる消火用ノズル６ａを着脱自在に保持するノズルホルダ６ｂと、消火栓弁（図示省略）を開閉操作するための操作レバー７ａを有するレバー機構部７と、消火栓扉４の閉状態をロック・アンロックするためのラッチ８ａを有するラッチ機構部８（操作部は扉表面側に設けられる。）等が取り付けられている。
【００２５】
そして、消火栓扉４の裏面４ｃ側に取り付けられる部品のうち少なくとも一部は、ヒンジ５に近い側の位置（ヒンジ５側の端縁部４ｄと反対側の端縁部４ｅとの間の中間位置よりもヒンジ５側の位置）に取り付けられる。本実施形態の場合、そのような位置にノズルホルダ６ｂが取り付けられており、常時は、そのノズルホルダ６ｂに消火用ノズル６ａが取り付けられて保持されている。
【００２６】
本実施形態の消火栓装置１−１によれば、消火栓扉４に取り付けられる部品の少なくとも一部がヒンジ５に近い側の位置に取り付けられることにより、取り付けられる部品を含む消火栓扉４の重心位置をヒンジ５に近づけることができる。それにより、消火栓扉４が回転する際のモーメントを小さくすることができる。そのため、消火栓扉４の回転動作を制御するダンパー（詳細はヒンジ５が内蔵して有するものとして後記で説明する。）を十分に働かせることができ、消火栓扉４を前傾式扉としている本実施形態の場合、消火栓扉４を十分にゆっくりと開くようにすることができるし、消火栓扉４を十分に軽い力で閉じるようにすることができる。
【００２７】
さらに、本実施形態における消火栓扉４について詳細に説明する。
【００２８】
消火栓扉４は、具体的には、金属製の平板からなり、その４辺に扉内方に向けて折曲するように形成される端縁部４ｄ、４ｅ、４ｆ、４ｇを有している。それら端縁部中、ヒンジ５側に位置する下側（閉扉時）の端縁部４ｄに、扉内方に向けて連続して突出するように形成される突縁部４ｈが設けられている。そして、端縁部４ｄの外側の面にヒンジ５が取り付けられている一方、突縁部４ｈの内側（裏面４ｃに臨む側）の面に消火用ノズル６ａを保持するノズルホルダ６ｂがヒンジ５に近接して取り付けられており、前記の通り、常時は、そのノズルホルダ６ｂに消火用ノズル６ａが着脱自在に取り付けられて保持されている。
【００２９】
本実施形態においては、この取り付け構造により、常時は、消火用ノズル６ａをヒンジ５にできるだけ近接させた状態で消火栓扉４にノズルホルダ６ｂを介して取り付けることができるようになっている。
【００３０】
なお、本実施形態においては、端縁部４ｄと突縁部４ｈとを連続する一体のものとしているが、別体のものとしてボルト等の締結部材により接続されるものとしてもよい。
【００３１】
また、端縁部４ｄを消火栓扉４の扉内方に扉表面に対して略９０度折曲するように形成されるものとして、その端縁部４ｄに連続して形成される突縁部４ｈも扉表面に対して略９０度折曲するように形成されるものとしており、ノズルホルダ６ｂが取り付けられる面を消火栓扉４の扉表面に対して略９０度の位置にあるものとしているが、突縁部４ｈをそれ単体で或いは端縁部４ｄと共に９０度より大きい角度で折曲するように設けられるものとして、ノズルホルダ６ｂの取り付け位置のある面を消火栓扉４の扉表面に対して９０度より大きい角度の位置にあるものとしてよい。
【００３２】
ここで、本実施形態において、消火栓扉４の左右の端縁部４ｆ、４ｇの形状はいずれも、その幅（扉の厚み方向の長さ）がヒンジ５に近い端縁部４ｄの側（回転の中心側）から反対のヒンジ５に遠い端縁部４ｅの側（回転の変位側）に行くほど小さくなっている（図２の端縁部４ｇの形状参照）。この形状により、消火栓扉４の扉自体（取り付けられる部品を除く扉単体）の重心位置をヒンジ５に近づけることができるようになっている。すなわち、この形状によっても、消火栓扉４のモーメントを小さくすることができるようになっている。
【００３３】
［ノズルホルダ］
ノズルホルダ６ｂは、消火用ノズル６ａを掴むようにして保持する掴持部６ｃと、その掴持部６ｃが先端に設けられると共に基端側に突縁部４ｈへの取付部が設けられる支柱部６ｄとからなる。ノズルホルダ６ｂにおいて、支柱部６ｄは、基端側の取付部によって突縁部４ｈの扉裏面４ｃに臨む側の面上に立設されて設けられており、先端側の掴持部６ｃは、それに保持される消火用ノズル６ａを消火栓扉４の幅方向に沿って横向きに扉裏面４ｃ上に位置させる配置で設けられている。支柱部６ｄに設けられる取付部としては、図示は省略するが、略Ｌ字状の曲折部として、その曲折部をボルト等の締結部材により突縁部４ｈに取り付けられるものとすることができる。なお、本実施形態の場合、ノズルホルダ６ｂの数を消火栓扉４の幅方向に並んで２個としているが、その数は適宜変更することができる。
【００３４】
［ヒンジ（消火栓扉用）］
ヒンジ５は、図２に示したように、その回転軸５ａ回りに回転する２つの回動連結部５ｂ、５ｃを有しており、一方の回動連結部５ｂが消火栓扉４の端縁部４ｄに接続されると共に、他方の回動連結部５ｃが引き出し口３の下端縁３ｂに接続されて、消火栓扉４が下方に回転して引き出し口３を開く前傾式扉となるように設けられている。そして、本実施形態においては、ヒンジ５は、消火栓扉４の回転動作を制御するダンパーを内蔵して有するダンパーヒンジを用いている。このダンパーヒンジを用いることにより、筐体２内にダンパーを収納するスペースを設ける必要をなくすことができ、消火栓扉４の回転動作を制御するダンパーを備えつつも、筐体４の薄型化をすることができるようになっている。なお、本実施形態の場合、ヒンジ５の数を消火栓扉４の幅方向に並んで２個としているが、その数は適宜変更することができる。
【００３５】
ここで、本実施形態の消火栓装置１−１における消火栓扉４の開閉時の動作について説明する。
【００３６】
図４は、消火栓扉４の開閉時の動作を３つの段階に分けて示したものであり、（ａ）が全閉状態、（ｂ）が半開状態、（ｃ）が全開状態をそれぞれ示している。なお、ノズルホルダ６ｂに保持される消火用ノズル６ａの図示は省略している。
【００３７】
ノズルホルダ６ｂは、消火栓扉４の開閉時、同図の（ａ）乃至（ｃ）に示したように変位するが、どの段階においても、ヒンジ５との位置関係に変化はない。消火用ノズル６ａは、そのようなノズルホルダ６ｂに取り付けられて、消火栓扉４の開閉時、ヒンジ５に近い位置を常に維持して変位する。それにより、消火栓扉４は開閉時、ノズルホルダ６ｂ及びそれに保持される消火用ノズル６ａを含めた重心位置がヒンジ５に常に近い状態で回転するので、そのモーメントは小さくなっている。また、ノズルホルダ６ｂ及びそれに保持される消火用ノズル６ａの荷重は、（ａ）の位置では消火栓扉４を閉じる方向に作用しているのが、（ｂ）の位置へ消火栓扉４が回転するまでに徐々に消火煙扉４を開く方向に作用するように変化するが、その取付位置が突縁部４ｈに設けられていることにより、消火栓扉４の裏面４ｃに取り付けられている場合に比べ、その変化が遅くなるので、それによっても、消火栓扉４のモーメントは小さくなっている。このため、ノズルホルダ６ｂが消火栓扉４の裏面４ｃに取り付けられている場合に比べ、ノズルホルダ６ｂの掴持部６ｃの位置が同じであり、消火用ノズル６ａが保持される位置が同じであっても、消火栓扉４のモーメントを小さくすることができ、消火栓扉４の回転速度を遅くすることができる。なお、ノズルホルダ６ｂが取り付けられている突縁部４ｈ上の位置とヒンジ５との距離が短くなっていることによっても、消火栓扉４のモーメントは小さくなっている。
【００３８】
［第２の実施形態］
次に、第２の実施形態の消火栓装置１−２について、図５乃至図７を参照しつつ説明する。なお、前記の消火栓装置１−１と異なる構成部分についてのみ説明することとし、同じ構成部分については同一図面符号を付して説明を省略する。
【００３９】
［従動回動部］
図５及び図６に示したように、消火栓装置１−２は、消火栓装置１−１における突縁部４ｈに代わって部品の取り付け位置が設けられるものとして、従動回動部１０を備えている。
【００４０】
従動回動部１０は、消火栓扉４とは別体のものとして、消火栓扉用のヒンジ５とは別のヒンジ１１によって引き出し口３に回動可能に取り付けられており、また、消火栓扉４が回転するのに従動して回転するように設けられている。そして、従動回動部１０には、消火栓装置１−１における突縁部４ｈに代わり、消火栓扉４の裏面４ｃ側に取り付けられる部品のうちの少なくとも一部が取り付けられる。
【００４１】
本実施形態の消火栓装置１−２によれば、従動回動部１０を備えていることにより、取り付けられる部品の荷重を従動回動部１０側に分散することができ、消火栓扉４の荷重を小さくすることができる。それにより、消火栓扉４が回転する際のモーメントを小さくすることができる。
【００４２】
この従動回動部１０は、本実施形態の場合、消火栓扉４の扉内方の突縁部４ｈの一部を切り欠いた位置に位置する立片をなすものとして、前記のヒンジ１１によって回動可能に引き出し口３に取り付けられている。そして、この従動回動部１０には、消火栓扉４の裏面４ｃに臨む側の面に消火栓装置１−１と同様、消火用ノズル６ａを保持するノズルホルダ６ｂがヒンジ１１に近接して取り付けられており、常時は、そのノズルホルダ６ｂに消火用ノズル６ａが取り付けられて保持されている。
【００４３】
［ヒンジ（従動回動部用）］
ヒンジ１１は、ヒンジ５の回転軸５ａと同じ軸線上に位置する回転軸回りに回転する２つの回動連結部（図示省略）を有しており、一方の回動連結部が従動回動部１０に接続されると共に、他方の回動連結部が引き出し口３の下端縁３ｂに接続され、従動回動部１０を消火栓扉４と同じ方向に回動可能にするものとして設けられている。
【００４４】
ヒンジ１１としては、ヒンジ５と同様、従動回動部１０の回転動作を制御するダンパーを内蔵して有するダンパーヒンジを用いており、筐体２内にダンパーを収納するスペースを設ける必要をなくすことができるものとしている。
【００４５】
［引っ掛け部］
消火栓扉４には、その開扉方向への回転に従動させて前記の従動回動部１０を回転させる引っ掛け部１２が設けられている。
【００４６】
本実施形態において、引っ掛け部１２は、消火栓扉４の突縁部４ｈの背面（裏面４ｃ側とは反対の面）に基端側が固定される支柱部１２ａと、その支柱部１２ａの先端側から側方に延在し、従動回動部１０の背面（ノズルホルダ６ｂが取り付けられる側とは反対の面）が回転軌跡中に位置するように設けられる接触部１２ｂとを有するものとしており、全体が略Ｌ字の形状をなすものとしている。
【００４７】
引っ掛け部１２は、消火栓扉４が開扉方向に回転する際、接触部１２ｂが従動回動部１０の背面に後方から接触し、従動回動部１０を後方から引っ掛けて前方に回転させるように動作するものであるが、本実施形態の場合、消火栓扉４の全閉時には接触部１２ｂが従動回動部１０の背面から離間するものとして、消火栓扉４の開扉方向への回転の途中で接触部１２ｂ従動回動部１０の背面と接触するものとしている。すなわち、消火栓扉４が全閉状態から開扉方向に回転する際、その回転に遅れて従動回動部１０を回転させるように動作するものとしている。なお、消火栓扉４の全閉時における接触部１２ｂと従動回動部１０の背面との角度間隔を変えることにより、従動回動部１０を消火栓扉４に遅れて回転させるタイミングを変えることができる。
【００４８】
この引っ掛け部１２については、消火栓扉４の開扉方向への回転に従動させて従動回動部１０を回転させることのできるものであればよく、前記のような構成に限定されるわけではない。すなわち、消火栓扉４の開扉方向への回転に従動させて従動回動部１０を回転させることのできるものであれば、種々の構成のものを用いることができる。
【００４９】
ここで、本実施形態の消火栓装置１−２における消火栓扉４の開扉時の動作について説明する。
【００５０】
図７は、消火栓扉４の開扉時の動作を３つの段階に分けて示したものであり、（ａ）が全閉状態、（ｂ）が半開状態、（ｃ）が全開状態をそれぞれ示している。なお、図４と同様、ノズルホルダ６ｂに保持される消火用ノズル６ａの図示は省略している。
【００５１】
本実施形態の場合、消火栓扉４の開扉方向への回転に従動して従動回動部１０が回転する。従動回動部１０には消火用ノズル６ａを保持するノズルホルダ６ｂが取り付けられており、それらの荷重は従動回動部１０側に分散される。それにより、消火栓扉４のモーメントを小さくできている。さらに、（ａ）の位置から消火栓扉４が開扉方向に回転すると、先ずは消火栓扉４のみが回転するが、その回転の途中で引っ掛け部１２の接触部１２ｂが従動回動部１０の背面に接触し、従動回動部１０を引っ掛けて消火栓扉４の開扉方向に引き動かして回転させる。その際、消火用ノズル６ａを保持するノズルホルダ６ｂの掴持部６ｃがヒンジ１１の回転軸の真上を超える（ｂ）の位置あたりから、従動回動部１０の荷重（ノズルホルダ６ｂ及びそれに保持される消火用ノズル６ａの荷重を含む。）が消火栓扉４の閉扉方向に従動回動部１０を回転させるように作用する側から開扉方向に回転させるように作用する側に変化するが、その変化があるまでは、引っ掛け部１２によって引き動かされる従動回動部１０の荷重は消火栓扉４の開扉方向の回転に対してはモーメントを小さくするように作用する。つまり、ノズルホルダ６ｂと消火用ノズル６ａの荷重を従動回動部１０側に分散していることにより、消火栓扉４のモーメントを小さくできているのに加え、従動回動部１０の荷重が消火栓扉４の閉扉方向に従動回動部１０を回転させるように作用する間は、従動回動部１０の荷重によっても消火栓扉４のモーメントを小さくできている。そして、従動回動部１０の荷重が消火栓扉４の開扉方向に従動回動部１０を回転させるように作用する側に変化した後は、その荷重によって消火栓扉４の開扉方向に消火栓扉４が回転するのに続いて（ｃ）の位置まで回転する。なお、本実施形態の場合、消火栓扉４が開扉方向に回転する際、消火栓扉４の回転に遅れて従動回動部１０が回転するものとしていることにより、従動回動部１０の荷重が消火栓扉４の閉扉方向に従動回動部１０を回転させるように作用する側から開扉方向に回転させるように作用する側に変化するタイミングを遅くすることもできており、従動回動部１０の荷重によっても消火栓扉４のモーメントを小さくできている時間を長くすることもできている。
【００５２】
以上、この発明の実施形態について、第１の実施形態と第２の実施形態とに分けて説明したが、この発明は上記の実施形態に限定されるものではなく、種々の変更が可能である。
【００５３】
例えば、いずれの実施形態においても、消火栓扉４は、全閉位置と全開位置との間で略１８０度回転するものに代えて、略９０度回転するものにしてもよい。また、消火栓扉４は、上方に回転して開放するタイプの消火栓扉（跳ね上げ式扉）としてもよい。その場合、消火栓扉４の閉扉時上側の端縁部４ｅを筐体２の横方向（幅方向）に沿う回転軸を有するヒンジ部材により回動可能に引き出し口３の上端縁３ａに取り付けることになる。また、ヒンジ５に近い側の位置に取り付ける部品についてもノズルホルダ６ｂに限定されるものではなく、例えば、レバー機構部７、ラッチ機構部８等であってもよい。
【符号の説明】
【００５４】
１−１，１−２：消火栓装置  ２：筐体  ２ａ：前面パネル  ３：引き出し口
３ａ：上端縁  ３ｂ:下端縁  ４：消火栓扉  ４ｃ：裏面
４ｄ〜４ｇ：端縁部  ４ｈ：突縁部  ５：ヒンジ（消火栓扉用）
５ａ：回転軸  ５ｂ〜５ｃ：回動連結部  ６：消火用ホース  
６ａ：消火用ノズル  ６ｂ：ノズルホルダ  ６ｃ：掴持部  ６ｄ：支柱部
７：レバー機構部  ７ａ：操作レバー  ８：ラッチ機構部  ８ａ：ラッチ
９：ホース収納部  １０：従動回動部  １１：ヒンジ  １２：引っ掛け部
１２ａ：支柱部  １２ｂ：接触部
【図１】
2019111000.tif 000003
【図２】
2019111000.tif 000004
【図３】
2019111000.tif 000005
【図４】
2019111000.tif 000006
【図５】
2019111000.tif 000007
【図６】
2019111000.tif 000008
【図７】
2019111000.tif 000009